(57)【特許請求の範囲】
【請求項１】
１枚の段ボールから成り、梱包物品を納め得る大きさで、且つ、梱包箱より一回り小さい蓋無しの箱状に折上げられるものであって、
パッキン材は、横断面が逆台形又はＶ形の樋状に折曲されて、１組の傾斜底面１ａ，１ａを形成させる底面１と、
底面１の両端に、台形折り目Ｂ、又はＶ形折り目Ｈを介して連設した一方の対向側面２と、
底面１の両側縁に、折り目を介して連設した他方の対向側面３と、
互いに隣接する各１組の対向側面２及び３の各側縁間に折り目を介して跨設した、略Ｌ形のスペーサー片４とを備えており、
スペーサー片４は、底面１の各隅角から延びる斜折り目Ｆに沿って２つ折された状態で、箱状に折上がったパッキンの四隅から外方に突出する様に構成し、
梱包物品は、１組の傾斜底面１ａ，１ａの各上端部間に跨座させて、緩衝支持することを特徴とする段ボール製の梱包用パッキン材。
【請求項２】
対向側面３の上縁に、対向側面３、及びこの面に連なる傾斜底面１ａに夫々重合させる、重合片５を折り目を介して連設したことを特徴とする請求項１記載の段ボール製の梱包用パッキン材。
【請求項３】
傾斜底面１ａに切起状に形成させた支承片６により、梱包物品の荷重を緩衝的に受け支持させる様にしたことを特徴とする請求項１又は２記載の段ボール製の梱包用パッキン材。
【請求項４】
対向側面２の上縁に、この側面と梱包箱の側壁との間に介在させる帯板状の補助スペーサー片８を、折り目を介して連設したことを特徴とする請求項１乃至３のいずれかに記載の段ボール製の梱包用パッキン材。
【請求項５】
補助スペーサー片８には、台形その他の任意の形状に折曲させる為の折り目を設けると共に、この折曲形状を固定させる為の掛止突部を設け、対向側面２には、その掛止孔を設けたことを特徴とする請求項４記載の段ボール製の梱包用パッキン材。
【請求項６】
補助スペーサー片８には、その幅方向に２つ折りする為の重合用折り目Ｍを設けたことを特徴とする請求項４又は５記載の段ボール製の梱包用パッキン材。
【請求項７】
対向側面３の上縁部に、この側面と梱包箱の側壁との間に介在させる緩衝突片１０を切起状に形成させる為の、切起用切れ目を設けたことを特徴とする請求項１乃至６のいずれかに記載の段ボール製の梱包用パッキン材。
【請求項８】
対向側面２の上縁部に略三角形の切欠箇所ａを設け、梱包箱の１枚の蓋フラップを、切欠箇所ａに斜め下向きに嵌め込んで、梱包物品の上面に当接させ、この状態を、残余の蓋フラップで固定させる様にしたことを特徴とする請求項１乃至７のいずれかに記載の段ボール製の梱包用パッキン材。
【発明の詳細な説明】
【０００１】
【発明の属する技術分野】
本発明は、１枚の段ボールから成り、段ボール製梱包箱の開放頂面に被せた状態で、その中央部に梱包物品を載せると、その重みを受けて凹んだパッキン材が、梱包物品を包み込みながら箱状パッキンの形態に自づから折上げられつつ、梱包箱内に収まる様に構成した、梱包用パッキン材に関する。
【０００２】
【従来の技術】
従来から、例えば、ビデオテープレコーダーや、家庭用ファクシミリ等の電気器機類を、段ボール箱を使って梱包する際には、発泡スチロール製のパッキン材を併用していた。
然しながら、発泡スチロールは、有限で貴重な石油を原料として作られ、用済み後に焼却処分すれば有害ガスを発生し、その上、埋め立てにも向かない等を多くの難点がある。
【０００３】
そこで、本願発明者は、かなり以前から、唯１枚の段ボールを素材として、既存の発泡スチロール製パッキンに代わり得る形状と緩衝性能とを兼ね備えたパッキンを折上げる方法を先駆的に開発し、その後様々な改良を重ねて来た。
【０００４】
【発明が解決しようとする課題】
然し、１枚の段ボールから、所要の形状と緩衝性能とを併せ備えたパッキンを折上げ様とすれば、とかく、折上構造が複雑になり勝ちなうえに、折上操作も面倒になる嫌いがあった。
【０００５】
そこで、本発明の目的は、所要の形状と緩衝性能とを備えながら、その折上構造と折上操作を極力簡素化出来る様にした段ボール製の梱包用パッキン材を提供するにある。
【０００６】
【課題を解決するための手段】
上記の目的を達成する為の、本発明による段ボール製の梱包用パッキン材は、１枚の段ボールから成り、梱包物品を納め得る大きさで、且つ、梱包箱より一回り小さい蓋無しの箱状に折上げられるものであって、
パッキン材は、横断面が逆台形又はＶ形の樋状に折曲されて、１組の傾斜底面１ａ，１ａを形成させる底面１と、
底面１の両端に、台形折り目Ｂ、又はＶ形折り目Ｈを介して連設した一方の対向側面２と、
底面１の両側縁に、折り目を介して連設した他方の対向側面３と、
互いに隣接する各１組の対向側面２及び３の各側縁間に折り目を介して跨設した、略Ｌ形のスペーサー片４とを備えており、
スペーサー片４は、底面１の各隅角から延びる斜折り目Ｆに沿って２つ折された状態で、箱状に折上がったパッキンの四隅から外方に突出する様に構成し、
梱包物品は、１組の傾斜底面１ａ，１ａの各上端部間に跨座させて、緩衝支持することを特徴とする。
そして、対向側面３の上縁には、対向側面３、及びこの面に連なる傾斜底面１ａに夫々重合させる、重合片５を折り目を介して連設するとよい。
又、傾斜底面１ａに切起状に形成させた支承片６により、梱包物品の荷重を緩衝的に受け支持させる様にするとよい。
更に、対向側面２の上縁には、この側面と梱包箱の側壁との間に介在させる帯板状の補助スペーサー片８を、折り目を介して連設するとよい。
この補助スペーサー片８には、台形その他の任意の形状に折曲させる為の折り目を設けると共に、この折曲形状を固定させる為の掛止突部を設け、対向側面２には、その掛止孔を設けるとよい。又、２つ折りする為の重合用折り目Ｍを設けるとよい。
そして、対向側面３の上縁部には、この側面と梱包箱の側壁との間に介在させる緩衝突片１０を切起状に形成させるとよい。
更に、対向側面２の上縁部に略三角形の切欠箇所ａを設けて置き、梱包箱の１枚の蓋フラップを、切欠箇所ａに斜め下向きに嵌め込んで、梱包物品の上面に当接させ、この状態を残余の蓋フラップで固定させる様にするとよい。
【０００７】
【発明の実施の形態】
本発明の幾つかの実施例に就いて、以下に順次説明する。
先ず、第１実施例のパッキン材の構成を、図１〜図９を参照しながら説明する。
図１に平面図として、図２に斜視図として示した、この実施例のパッキン材１０１は、所定の複数箇所に、夫々所定の方向に折り目（折り癖）を設けた１枚の段ボールから成る。
【０００８】
このパッキン材１０１は、後述する折上操作を経て、図６に示した様に、頂面が開放された箱状を成して、その四隅箇所に緩衝用のスペーサー片が外向きに突出した、パッキン２０１の形態に折上がる。
そして、梱包物品４００は、図７に示した様に、パッキン２０１に包み込まれた状態で、段ボール製の梱包箱３００内に収められる。
【０００９】
図１に示した様に、パッキン材１０１は、その中央域を、パッキン２０１の底面１としている。
この底面１には、２条の内側向きの折り目Ａ，Ａを平行状に設けて、パッキン２０１の折上過程で、この底面１が、図５，図９に示した様に、横断面が逆台形の樋状に折曲される様にしている。図中の１ａで示した部分は、この逆台形の傾斜底面となる。
【００１０】
そして、底面１の両端（図１では左右端）には、パッキン２０１の一方の対向側面２，２を、外側向きに拡開する台形折り目Ｂを介して、連設している。
この対向側面２には、底面１に設けた２条の折り目Ａの各末端から延びて、対向側面２の上縁に達する折り目Ｃを、外側向きに設けている。
底面１の両側縁（図１では上下端）には、他方の対向側面３，３を折り目Ｄを介して連設している。
【００１１】
又、互いに隣接する各１組の対向側面２及び３の各側縁間には、略Ｌ形をしたスペーサー片４を、外側向きの折り目Ｅを介して跨設している。
各スペーサー片４には、底面１の各隅角から延びてその外縁に達する、内側向きの斜折り目Ｆを設けている。
この斜折り目Ｆは、スペーサー片４を、図６に示した様に、２枚重ね状に２つ折する為のものである。
【００１２】
更に、一方の対向側面２の上縁部には、図１中に仮想線を付して示した様に、その幅方向の片側部分に、略直角三角形の切欠箇所ａを設けている。
【００１３】
この切欠箇所ａは、図７，図９に示した様に、梱包箱３００の１枚の蓋フラップ３１を、斜め下向きに嵌め込ませる為のものである。
蓋フラップ３１の先端近くには、切欠箇所ａの深さに対応した横幅の折曲片３１ａを形成させる為の、折り目Ｇを設けている。
【００１４】
次に、パッキン材１０１の使い方に就いて説明する。
パッキン材１０１は、図６に示した箱状のパッキン２０１に折上げてから、図７，図９に示した様に、梱包箱３００に納めてもよい。
【００１５】
然し、以下に説明する様な、より簡便な使い方をすることが出来る。
即ち、先ず蓋を開いた状態の梱包箱３００の開放上面に、折上開始前の平坦に展開されたパッキン材１０１を覆い被せる様にして載せる。
【００１６】
然る後、このパッキン材１０１の底面１上に梱包物品４００を載せると、図３に示した様に、その重みによって、パッキン材１０１は、各折り目に予め設けてある折り癖に従って、次第にパッキン２０１の形状に自づから折上げられながら、沈み込んで行く。
そして、最後は、図４に示した様に、梱包物品４００は、折上がったパッキン２０１に包み込まれた状態で、梱包箱３００内に自づから収められる。
尚、必要に応じて、パッキン材１０１を強制的に凹ませる為に、梱包物品４００に適宜の押圧力を及ぼしてもよい。
【００１７】
かくして、パッキン材１０１をパッキン２０１の形態に折上げ、パッキン２０１を梱包箱３００内に収め、梱包物品４００を折上がったパッキン２０１内に収める、という３つの一連の作業工程を、同時進行的に、殆ど一挙に完了させることが出来る。
【００１８】
折上がった箱状のパッキン２０１は、図９に示した様に、その底面１が、１組の傾斜底面１ａ，１ａを備えて横断面が逆台形を成す樋状に折曲されている。
そして、梱包物品４００は、この１組の傾斜底面１ａ，１ａの上端部間に跨座状態で載置されるので、極めて良好な緩衝支持作用を受けることが出来る。
【００１９】
又、梱包箱３００より一回り小さいサイズに折上がった、箱状のパッキ２０１の外周りには、その四隅箇所に、図６に示した様に、２つ折されたスペーサー片４がリブ状に突出して、図７に示した様に、梱包箱３００の一方の対向側壁３２との間に介在された状態になる。
その為、梱包物品４００は、この側壁３２の方向から及ぼされる衝撃力に対しても、効果的に防護される。
【００２０】
そして、一方の対向側面２は、台形折り目Ｂを介して、底面１の両端に連なっている為に、台形折り目Ｂに沿って起立した対向側面２は、図４に示した様に、パッキン２０１の内側に向けて、平面視台形に突出した状態になる。
その為、梱包箱３００の他方の対向側壁３３の方向から及ぼされる衝撃力に対しても、梱包物品４００は効果的に防護される。
【００２１】
更に、梱包箱３００の蓋フラップ３１を閉ざす際には、図７に示した様に、先ず、１枚の蓋フラップ３１を、その先端の折曲片３１ａを上向きに折曲させながら、一方の対向側面２，２の上縁部に設けた切欠箇所ａ，ａに嵌め込ませる。
【００２２】
すると、折曲片３１の先端部分が、丁度、梱包物品４００の上面に緩衝的に当接された状態になる。
続いて、残る３枚の蓋フラップ３１を閉ざせば、図９に示した様に、上記の当接状態が固定されて、上方からの衝撃力に対しても、梱包物品４００は防護される。
かくして、梱包箱３００とパッキン材１０１とを使って、梱包物品４００を確実に緩衝保持した状態のもとに梱包する作業は、すこぶる能率的に終えることが出来る。
【００２３】
次に、図１０〜図１３は、第２実施例のパッキン材を示している。
この実施例のパッキン材１０２は、図１０，図１１に示した１枚の段ボールから成り、図１２，図１３に示したパッキン２０２の形態に折上がる。
【００２４】
第１実施例のパッキン材１０２との相異点は、底面１の折曲形状にある。
即ち、図１０，図１１に示した様に、底面１には、その真ん中に唯１条の折り目Ａを設けている。
それ伴って、一方の対向側面２，２は、台形折り目Ｂに代えて、Ｖ形折り目Ｈを介して底面１に連なっている。
【００２５】
このパッキン材１０２から、第１実施例と同様にしてパッキン２０２を折上げると、その底面１は、１組の傾斜底面１ａ，１ａが連なった、Ｖ形の樋状に折曲される。
そして、梱包物品４００は、この１組の傾斜底面１ａ，１ａの各上端部間に、跨座状態で載置されることになる。
図１３に、パッキン２０２が、梱包箱３００内に収まった状態を示した。
【００２６】
次に、図１４〜図１７は、第３実施例のパッキン材を示している。
この実施例のパッキン材１０３は、図１４，図１５に示した１枚の段ボールから成り、図１７に示したパッキン２０３の形態に折上がる。
【００２７】
この実施例のパッキン材１０３と、第１実施例のパッキン材１０１との第１の相異点は、他方の対向側面３の上縁に、この対向側面３と、この面に連なる傾斜底面１ａとに夫々重合させる重合片５を、折り目Ｉを介して連設して、傾斜底面１ａ等を補強したところにある。
【００２８】
第２の相異点は、傾斜底面１ａに、梱包物品４００の荷重を緩衝的に受け支える支承片６を切起状に形成させる為の、コ字形切れ目７を、折り目Ｄに接する様に設けたところにある。
【００２９】
第３の相異点は、一方の対向側面２の上縁に、この側面と梱包箱３００の側壁との間に介在させる帯板状の補助スペーサー片８を、折り目Ｊを介して連設したところにある。
この補助スペーサー片８には、図１７に示した様に、略台形に折り曲げる為の複数の折り目Ｋを設けている。尚、台形には限られない。
これによって、対向側面２に及ぼされる衝撃力を効果的に分散させることが出来る。
【００３０】
更に、補助スペーサー片８には、上記の折曲形状を固定させる為の掛止突部８ａを２箇所に設けている。
又、補助スペーサー片８には、その幅方向に２つ折して補強する為の重合用折り目Ｍを設けている。
一方、対向側面２には、各掛止突部８ａを挿嵌させる掛止孔９を設けている。
【００３１】
そして、第４の相異点は、対向側面３の上縁部に、この側面と梱包箱３００の側壁との間に介在させて、緩衝用リブとして役立たせる為の緩衝突片１０を、図１７に示した様に切起状に形成させる為の、切起用切れ目１１を設けたところにある。
重合片５には、梱包物品４００の突起部を避ける為の逃げ孔１２を設けている。
【００３２】
図１６及び図１７に、パッキン２０３の折上途中の状態、及び折上がり状態を示した。
パッキン材１０３を、既述の様に、梱包箱３００の開放頂面に載せた状態から折り始める場合には、両重合片５，５は、予め、折り目Ｉに沿って対向側面３側に折り重ねた状態にして置くとよい。
【００３３】
【発明の効果】
以上の説明によって明らかな様に、本発明による段ボール製の梱包用パッキン材は、以下に列挙した如き、実用上の優れた効果を奏する。
（ａ）パッキン材からパッキンを折上げ、パッキンを梱包箱内に収め、梱包物品をパッキンで包み込むという３つの一連の作業工程を、同時進行的に、殆ど一挙に終えられる。
（ｂ）従って、初心者でも、梱包作業の能率を顕著に高められる。
（ｃ）梱包物品は、逆台形又はＶ形の樋状に折曲された底面の、１組の傾斜底面間で極めて効果的に緩衝支持される。
（ｄ）箱状に折上がったパッキンの外周面に突出するスペーサー片が、梱包箱の壁面との間に介在されるので、側方から衝撃も確実に減衰させられる。
（ｅ）パッキンの傾斜底面及び側面を、重合片によって良好に補強出来る。
（ｆ）傾斜底面に切起状に設けた支承片によって、梱包物品をより良好に緩衝支持出来る。
（ｇ）対向側面と梱包箱の側壁との間に介在されて、任意の形状に折曲させた補助スペーサー片によっても、側方から衝撃を確実に吸収出来る。
（ｈ）対向側面の上縁部に切起状に設けた緩衝突片を、梱包箱の側壁との間に介在させることにっても、側方から衝撃を良好に吸収出来る。
（ｉ）対向側面の上縁部に設けた斜め向きの切欠箇所に、梱包箱の１枚の蓋フラップを嵌め込めば、梱包物品は上方からの衝撃に対しても防護される。
（Ｊ）パッキン材は、１枚の段ボールに展開した嵩張らない状態で、保管・輸送出来る。
【図面の簡単な説明】
【図１】本発明の第１実施例を示すもので、パッキン材の平面図である。
【図２】同上、パッキン材の斜視図である。
【図３】同上、パッキン材を、梱包箱の開放上面に覆い被せた状態で、その上に梱包物品を落とし込ませつつある状態の斜視図である。
【図４】同上、パッキン材が、梱包物品を包み込んだ状態で、パッキンの形態に折上がった状態の斜視図である。
【図５】同上、折上途中のパッキンの形態を示す斜視図である。
【図６】同上、折上がったパッキンの斜視図である。
【図７】同上、梱包箱の一方の蓋フラップを、梱包物品の上面に当接させた状態の斜視図である。
【図８】同上、梱包を終えた梱包箱の斜視図である。
【図９】同上、図８のＶ−Ｖ線に沿う縦断面図である。
【図１０】本発明の第２実施例を示すもので、パッキン材の平面図である。
【図１１】同上、パッキン材の斜視図である。
【図１２】同上、折上がったパッキンの斜視図である。
【図１３】同上、パッキンが梱包箱内に収まった状態の斜視図である。
【図１４】本発明の第３実施例を示すもので、パッキン材の平面図である。
【図１５】同上、パッキン材の斜視図である。
【図１６】同上、折上途中のパッキンの斜視図である。
【図１７】同上、折上がったパッキンの斜視図である。
【符号の説明】
１０１〜１０３  パッキン材
２０１〜２０３  パッキン
３００  梱包箱
４００  梱包物品
１  底面
１ａ  傾斜底面
２  一方の対向側面
３  他方の対向側面
４  スペーサー片
５  重合片
６  支承片
７  コ字形切れ目
８  補助スペーサー片
９  掛止孔
１０  緩衝突片
１１  切起用切れ目
１２  逃げ孔
３１  蓋フラップ
３１ａ  折曲片
３２，３３  側壁
Ａ，Ｃ，Ｄ，Ｇ，Ｉ，Ｊ，Ｋ  折り目
Ｂ  台形折り目
Ｆ  斜折り目
Ｈ  Ｖ形折り目
Ｍ  重合用折り目
ａ  切欠箇所
【図１】
0004441062.tif 000002
【図２】
0004441062.tif 000003
【図３】
0004441062.tif 000004
【図４】
0004441062.tif 000005
【図５】
0004441062.tif 000006
【図６】
0004441062.tif 000007
【図７】
0004441062.tif 000008
【図８】
0004441062.tif 000009
【図９】
0004441062.tif 000010
【図１０】
0004441062.tif 000011
【図１１】
0004441062.tif 000012
【図１２】
0004441062.tif 000013
【図１３】
0004441062.tif 000014
【図１４】
0004441062.tif 000015
【図１５】
0004441062.tif 000016
【図１６】
0004441062.tif 000017
【図１７】
0004441062.tif 000018